(57)【要約】【課題】冷却対象物に車両の外側の空気を供給する吸気ダクトにおいて、汎用性の高い吸気ダクトの構造を提供する。【解決手段】車両のリアフロアパネル１１の下面には、吸気ダクト２０が固定されている。吸気ダクト２０の下面には、冷却対象物としてのオイルクーラー１６が固定されている。オイルクーラー１６の下面には、当該オイルクーラー１６に供給された空気を車両の外部へと排出する排気ダクト３０が固定されている。排気ダクト３０の車両外部側の開口である排気口３０ｂは、車両下側に向けて開口している。吸気ダクト２０の車両外部側の開口である吸気口２０ｂは、車両のリアタイヤ１３よりも後側に位置する、リアバンパー１５の後壁部１５ｒにおいて開口している。【選択図】図１
2018144733.tif 000002
【特許請求の範囲】
【請求項１】
車両のフロアパネルよりも下側に搭載されている冷却対象物に車両の外部から空気を供給する吸気ダクトと、前記冷却対象物に供給された空気を車両の外部へと排出する排気ダクトとを備えたダクト構造であって、
前記排気ダクトの車両外部側の開口である排気口は、車両下側に向けて開口しており、
前記吸気ダクトの車両外部側の開口である吸気口は、前記車両のリアタイヤよりも車両後側で開口している
車両のダクト構造。
【請求項２】
前記排気口よりも前側には、前記排気口よりも下側で車幅方向に延びている遮蔽壁が車両上下方向に立設されている
請求項１に記載の車両のダクト構造。
【請求項３】
前記フロアパネルより車両下側には、板状のアンダーカバーが対向配置されており、
前記アンダーカバーには、前記排気口と対向する位置に当該アンダーカバーを厚み方向に貫通する開口部が設けられており、
前記アンダーカバーには、前記開口部を囲うように延びているとともに車両上側へと立設されている周壁部が設けられている
請求項２に記載の車両のダクト構造。
【請求項４】
前記吸気口は、車両の後端面に開口している
請求項１〜３のいずれか一項に記載の車両のダクト構造。
【発明の詳細な説明】
【技術分野】
【０００１】
この発明は、車両のダクト構造に関する。
【背景技術】
【０００２】
特許文献１に記載の電動車両には、車両を走行させるための走行モーターに電力を供給する電源装置が搭載されている。また、特許文献１に記載の電動車両には、電源装置に車両の外側の空気を供給する吸気ダクトが設けられているとともに、電源装置に供給された空気を車両外に排出する排気ダクトが設けられている。排気ダクトの排気口は、フロアパネルにおいて車両下側に向けて開口している。また、吸気ダクトの吸気口は、リアタイヤを上側から覆うリアホイールハウスにおいてリアタイヤ側に向けて開口している。
【先行技術文献】
【特許文献】
【０００３】
【特許文献１】特開２００６−１０３３６５号公報
【発明の概要】
【発明が解決しようとする課題】
【０００４】
ところで、特許文献１に記載の電動車両のように、吸気ダクトの吸気口がリアホイールハウスにおいて開口している場合には、リアホイールハウスやその周辺に、吸気ダクトを配設可能なスペースを確保する必要がある。しかしながら、車両におけるリアホイールハウスの周辺部は車両ドアやその関連構成の搭載箇所となっていることが多い。そして、そうした場合には、車両の内部におけるホイールハウスの周辺部に、吸気ダクトを配設可能なスペースを確保することができない。そのため、特許文献１に記載の電動車両のような吸気ダクトを採用しようとしても、その吸気ダクトの吸気口の位置を採用可能な車種等が限られ、汎用性が低いと言わざるを得ない。
【課題を解決するための手段】
【０００５】
上記課題を解決するため、本発明は、車両のフロアパネルよりも下側に搭載されている冷却対象物に車両の外部から空気を供給する吸気ダクトと、前記冷却対象物に供給された空気を車両の外部へと排出する排気ダクトとを備えたダクト構造であって、前記排気ダクトの車両外部側の開口である排気口は、車両下側に向けて開口しており、前記吸気ダクトの車両外部側の開口である吸気口は、前記車両のリアタイヤよりも車両後側で開口している。
【０００６】
上記構成によれば、リアタイヤよりも車両後方といった、車両ドアが搭載されるとは考えにくい箇所に吸気ダクトの吸気口が開口している。このため、車両ドアの関連構成等が搭載されるリアホイールハウスの周辺を避けて吸気ダクトを配設することができる。その結果、上記構成の吸気ダクトを適用でき得る車種等が広がり、汎用性が向上する。
【０００７】
上記ダクト構造において、前記排気口よりも前側には、前記排気口よりも下側で車幅方向に延びている遮蔽壁が車両上下方向に立設されていてもよい。
上記構成によれば、車両の走行に伴って空気が車両下部を流れる際に、車両前側から後側に向かう空気の流れが遮蔽壁によって妨げられる。そのため、遮蔽壁よりも前側では空気の静圧が高くなる一方で、遮蔽壁よりも後側では空気の静圧が低くなる。このように遮蔽壁よりも後側、すなわち排気口の周辺の静圧を低くすることで、排気ダクトにおいて排気口側へと向かう空気の流れを促進できる。
【０００８】
上記ダクト構造において、前記フロアパネルより車両下側には、板状のアンダーカバーが対向配置されており、前記アンダーカバーには、前記排気口と対向する位置に当該アンダーカバーを厚み方向に貫通する開口部が設けられており、前記アンダーカバーには、前記開口部を囲うように延びているとともに車両上側へと立設されている周壁部が設けられていてもよい。
【０００９】
上記構成によれば、車両のフロアパネルとアンダーカバーとの間に存在する空気がアンダーカバーの開口部に向かって流れ込んだり、アンダーカバーよりも下側の空気が開口部を介して車両のフロアパネルとアンダーカバーとの間に流れ込んだりすることが抑制できる。したがって、排気ダクトの排気口からアンダーカバーの開口部を介してアンダーカバーの下側に排出される排気の流れが乱されにくい。
【００１０】
上記ダクト構造において、前記吸気口は、車両の後端面に開口していてもよい。
上記構成によれば、吸気ダクトの吸気口は車両後側に向けて開口されることになる。そのため、車両の走行中に車両の前側からの空気の流れに乗って異物が吸気ダクトの吸気口に浸入したり、車両のリアタイヤが巻き上げた埃等が吸気ダクトの吸気口に浸入したりすることを抑制できる。
【図面の簡単な説明】
【００１１】
【図１】車両の下部構造を示す斜視図。
【図２】車両の後部を示す図。
【図３】車両を右側から見た状態でのダクト構造を中心に示す側面図。
【発明を実施するための形態】
【００１２】
以下、車両のダクト構造を走行モーターによって駆動される電動車両に適用した一実施形態について、図１〜図３を参照して説明する。なお、図１〜図３において、矢印Ｕｐは車両上方を、矢印Ｄｗは車両下方を、それぞれ示している。図１及び図２において、矢印Ｌｅは車両前方を向いたときの車幅方向における左方向を、矢印Ｒｉは車両前方を向いたときの車幅方向における右方向を、それぞれ示している。図１及び図３において、矢印Ｆｒは車両前方を、矢印Ｒｒは車両後方を、それぞれ示している。
【００１３】
図１に示すように、車両後側における車両下部には、略板状のリアフロアパネル１１が設けられている。リアフロアパネル１１は、車両のリアタイヤ１３よりも後側（例えばラゲッジルーム）の床面を構成している。リアフロアパネル１１よりもさらに下側には、略板状のアンダーカバー１２がリアフロアパネル１１に対して対向配置されている。アンダーカバー１２は、リアフロアパネル１１に対して所定の間隔を開けた位置で、車両のボデー本体（フレーム）に固定されている。
【００１４】
車両のリアタイヤ１３よりも後側には、リアフロアパネル１１を車幅方向外側及び車両後側から囲うようにリアバンパー１５（リアバンパースポイラーということもある。）が配置されている。リアバンパー１５は、車両の車幅方向全体に亘って延びる後壁部１５ｒを備えている。後壁部１５ｒの車幅方向両側の縁からは、車両前側へと側壁部１５ｓが延びている。側壁部１５ｓの前縁は、車両後側に向かって円弧状に窪むような形状になっている。側壁部１５ｓの前縁は、リアタイヤ１３を上側から覆う図示しないリアホイールハウスの車幅方向外側の縁に接続されている。リアバンパー１５は、車両のボデー本体（フレーム）に固定されている。リアバンパー１５の後壁部１５ｒのうちの後側の面は、車両の後端面のうちの、下側（例えばテールランプやバックドアよりも下側）の一部を構成している。なお、図１及び図２においては、リアバンパー１５を仮想線で図示して、リアバンパー１５よりも車両内部側の構造も図示している。
【００１５】
図１に示すように、リアフロアパネル１１の下面には、一対の吸気ダクト２０が固定されている。一対の吸気ダクト２０は、車両の車幅方向中央を挟んで両側に、互いに離間して並設されている。吸気ダクト２０は、車両上下方向の寸法よりも車幅方向の寸法の方が長い扁平な略四角箱状になっている。また、吸気ダクト２０は、リアフロアパネル１１の下面に沿って車両前後方向に延びている。吸気ダクト２０の上面は、リアフロアパネル１１の下面に図示しないボルト等によって固定されている。
【００１６】
吸気ダクト２０のうちの車両前後方向の後端面には、車両外部側の開口である吸気口２０ｂが開口している。すなわち、吸気ダクト２０の吸気口２０ｂは、車両の後側に向けて開口している。図１及び図３に示すように、吸気ダクト２０の下面のうち、車両前側の一部分には、車両内部側の開口である流入口２０ａが開口している。
【００１７】
図１及び図２に示すように、各吸気ダクト２０の下面には、それぞれ冷却対象物としての空冷式のオイルクーラー１６が固定されている。すなわち、オイルクーラー１６は、一対の吸気ダクト２０に対応して一対設けられている。各オイルクーラー１６は、車両上下方向の寸法よりも車幅方向の寸法の方が長い扁平な四角箱状の外形になっている。この実施形態では、オイルクーラー１６の車幅方向の寸法は、吸気ダクト２０の車幅方向の寸法と略同じになっている。また、図１に示すように、オイルクーラー１６は、吸気ダクト２０の下面に沿って車両前後方向に延びている。オイルクーラー１６の車両前後方向の寸法は、吸気ダクト２０の車両前後方向の寸法よりも短くなっている。
【００１８】
図１及び図３に示すように、オイルクーラー１６の上面には、当該オイルクーラー１６の内部と連通する上流側開口部１６ａが設けられている。上流側開口部１６ａは、オイルクーラー１６の上面における略全域に設けられている。オイルクーラー１６は、その上流側開口部１６ａが吸気ダクト２０の流入口２０ａと向かい合うように、吸気ダクト２０の下面に対する固定位置が定められている。この実施形態では、オイルクーラー１６は、吸気ダクト２０の下面のうちの前側の部分に固定されている。オイルクーラー１６の内部は、当該オイルクーラー１６の上面の上流側開口部１６ａを介して吸気ダクト２０の内部と連通している。また、オイルクーラー１６の下面には、下流側開口部１６ｂが設けられている。下流側開口部１６ｂは、オイルクーラー１６の下面における略全域に設けられている。
【００１９】
なお、オイルクーラー１６の内部には、図示しない複数のオイル流路が設けられている。各オイル流路の内部には、例えばリアタイヤ１３を駆動するための走行モーターによって温められたオイルが供給される。そして、オイルクーラー１６における各オイル流路での熱交換によって冷やされたオイルが、走行モーター等の冷却のために再び走行モーター等に供給される。
【００２０】
図１に示すように、各オイルクーラー１６の下面には、排気ダクト３０が固定されている。すなわち、排気ダクト３０は、一対のオイルクーラー１６に対応して一対設けられている。図１及び図２に示すように、各排気ダクト３０は、車両上下方向の寸法よりも車幅方向の寸法の方が長い扁平な四角箱状になっている。この実施形態では、排気ダクト３０の車幅方向の寸法は、オイルクーラー１６の車幅方向の寸法と略同じになっている。また、図１に示すように、排気ダクト３０は、オイルクーラー１６の下面に沿って車両前後方向に延びている。排気ダクト３０の車両前後方向の寸法は、オイルクーラー１６の車両前後方向の寸法よりも長くなっている。
【００２１】
図１及び図３に示すように、排気ダクト３０の上面には、車両内部側の開口である流出口３０ａが開口している。排気ダクト３０は、その流出口３０ａがオイルクーラー１６の下流側開口部１６ｂと向かい合うように、オイルクーラー１６の下面に対する固定位置が定められている。排気ダクト３０の内部は、当該排気ダクト３０の流出口３０ａを介してオイルクーラー１６の内部と連通している。また、排気ダクト３０の下面には、車両外部側の開口である排気口３０ｂが開口している。排気口３０ｂは、排気ダクト３０の下面の略全域に設けられていて、車両下側に向かって開口している。なお、排気ダクト３０は、アンダーカバー１２よりも上側に位置している。
【００２２】
図１に示すように、各排気ダクト３０の内部には、板状のフィン３０ｆが複数枚配置されている。フィン３０ｆは車幅方向に延びており、車幅方向の両縁部が排気ダクト３０の車幅方向両側の内面に接続されている。図２に示すように、フィン３０ｆは、車両上側よりも車両下側の方が後側に位置するように傾斜して設けられている。また、複数のフィン３０ｆは、互いに平行となっている。
【００２３】
図１及び図２に示すように、リアバンパー１５の後壁部１５ｒには、当該後壁部１５ｒを厚み方向に貫通する２つの挿入孔１５ｈが設けられている。２つ挿入孔１５ｈは、車両の車幅方向中央を挟んで離間して並設されている。挿入孔１５ｈは、吸気ダクト２０の後端の外形と略同一の四角形状になっている。この挿入孔１５ｈには、吸気ダクト２０の後端が挿入されている。ここで、リアバンパー１５の後壁部１５ｒは、車両前後方向においてリアタイヤ１３よりも後側に位置している。したがって、リアバンパー１５の挿入孔１５ｈに挿入された吸気ダクト２０の吸気口２０ｂは、リアタイヤ１３よりも後側に位置している。また、リアバンパー１５の後壁部１５ｒは、車両の後端面の一部を構成している。したがって、吸気ダクト２０の吸気口２０ｂは、車両の後端面に開口している。
【００２４】
図１及び図３に示すように、アンダーカバー１２には、当該アンダーカバー１２を厚み方向に貫通する開口部１２ａが設けられている。開口部１２ａは、排気ダクト３０の排気口３０ｂと同形同大の略四角形状になっている。また、開口部１２ａは、アンダーカバー１２のうち、排気ダクト３０の排気口３０ｂと対向する位置に設けられている。アンダーカバー１２の上面からは、車両上側に向かって板状の周壁部１７が立設されている。周壁部１７は、排気ダクト３０の下面と略同一の高さ位置にまで立設されている。周壁部１７は、開口部１２ａの縁部に沿って当該開口部１２ａ全体を囲うよう延びている。すなわち、周壁部１７は、全体として四角枠状になっている。
【００２５】
アンダーカバー１２の下面からは、車両下側に向かって板状の遮蔽壁１９が立設している。遮蔽壁１９は、アンダーカバー１２の開口部１２ａの縁部のうち、車両前側の縁部に沿って車幅方向に延びている。この実施形態では、遮蔽壁１９は、アンダーカバー１２の開口部１２ａの車両前側の縁部全域に亘って延びている。なお、上述したとおり、アンダーカバー１２の開口部１２ａは、排気ダクト３０の排気口３０ｂに対向している。したがって、アンダーカバー１２の開口部１２ａの車両前側の縁部に沿って延びる遮蔽壁１９は、排気ダクト３０の排気口３０ｂよりも前側に位置している。
【００２６】
次に、上記車両のダクト構造における作用及び効果について説明する。
先ず、上記のダクト構造においては、吸気ダクト２０の吸気口２０ｂは、リアタイヤ１３よりも車両後方といった、車両ドアが搭載されるとは考えにくい箇所に開口している。このため、車両ドアの関連構成等が搭載されるリアホイールハウスの周辺を避けて吸気ダクト２０を配設することができる。その結果、上記構成の吸気ダクト２０を適用でき得る車種等が広がり、汎用性が向上する。
【００２７】
上記実施形態のダクト構造を備えた車両が走行すると、アンダーカバー１２の下側には、車両前側から後側に向かう相応の速度の空気の流れが生じる。そのため、アンダーカバー１２の下側においては、車両の後端面（リアバンパー１５の後壁部１５ｒ）よりも後側の空間に比べて空気の静圧が低くなる。したがって、上記のダクト構造においては、車両の後端面（リアバンパー１５の後壁部１５ｒ）において開口する吸気ダクト２０の吸気口２０ｂから、車両の下側に向けて開口する排気ダクト３０の排気口３０ｂに向かう空気の流れが生じる。
【００２８】
吸気ダクト２０の吸気口２０ｂから吸気ダクト２０の内部に流入した空気は、吸気ダクト２０の流入口２０ａ及びオイルクーラー１６の上流側開口部１６ａを介して、オイルクーラー１６の内部に供給される。オイルクーラー１６の内部に供給された空気は、オイル流路内のオイルとの間で熱交換して温められる。そして、その空気は、同オイルクーラー１６の下流側開口部１６ｂ及び排気ダクト３０の流出口３０ａを介して、排気ダクト３０の内部に流出される。そして、その流出された空気は、排気ダクト３０の排気口３０ｂから排出される。さらに、排気ダクト３０の排気口３０ｂから排出された空気は、アンダーカバー１２の開口部１２ａを介して車両の下側へと排出される。
【００２９】
ここで、上記実施形態では、アンダーカバー１２の下面からは、車両下側に向かって板状の遮蔽壁１９が立設している。そして、この遮蔽壁１９は、アンダーカバー１２の開口部１２ａの縁部のうち、車両前側の縁部に沿って車幅方向に延びている。このため、車両の走行に伴って空気がアンダーカバー１２の下側を流れる際に、車両前側から後側に向かう空気の流れが遮蔽壁１９によって妨げられる。そして、遮蔽壁１９よりも前側では空気の静圧が高くなる一方で、遮蔽壁１９よりも後側では空気の静圧が低くなる。このように遮蔽壁１９よりも後側、すなわち排気ダクト３０の排気口３０ｂの真下の位置の静圧を低くすることで、排気ダクト３０において排気口３０ｂ側へと向かう空気の流れを促進できる。特に、車両の走行速度が低い場合には、アンダーカバー１２の下側を流れる空気の流れもそれほど速くないため、アンダーカバー１２の下側の空気の静圧も低くなりにくい。このような車両の走行速度が低い場合において、上記遮蔽壁１９による空気の流れの促進効果が顕著に得られる。
【００３０】
また、上記実施形態では、アンダーカバー１２の上面には、開口部１２ａを囲うように周壁部１７が設けられている。このため、車両のリアフロアパネル１１とアンダーカバー１２との間に存在する空気がアンダーカバー１２の開口部１２ａに向かって流れ込んだり、アンダーカバー１２よりも下側の空気が開口部１２ａを介して車両のリアフロアパネル１１とアンダーカバー１２との間に流れ込んだりすることが抑制できる。したがって、排気ダクト３０の排気口３０ｂからアンダーカバー１２の開口部１２ａを介してアンダーカバー１２の下側に排出される排気の流れが乱されにくい。
【００３１】
吸気ダクト２０の吸気口２０ｂは、リアバンパー１５の後壁部１５ｒに開口しているとともに車両後側に向けて開口している。そのため、車両の走行中に車両の前側からの空気の流れに乗って異物が吸気ダクト２０の吸気口２０ｂに浸入したり、車両のリアタイヤ１３が巻き上げた埃等が吸気ダクト２０の吸気口２０ｂに浸入したりすることを抑制できる。
【００３２】
ところで、車室よりも前側に内燃機関が搭載されている車両においては、内燃機関から車両の後側に向かって排気管が延びている。そのため、この種の車両においては、リアフロアパネル１１やその他のフロアパネルの下側に、排気管や消音器等を配置するためのスペースが確保されている。また、この種の車両においては、リアバンパー１５に排気管の下流端を挿入するための開口が設けられている。
【００３３】
ここで、上記実施形態では、一連のダクト構造をモーターによって駆動される電動車両に適用している。すなわち、排気管や消音器等を有していない車両において上記のダクト構造を適用している。そのため、内燃機関が搭載されている車両において排気管や消音器が設けられていたリアフロアパネル１１の下側のスペースを、吸気ダクト２０、オイルクーラー１６、排気ダクト３０等の配置スペースとして利用することもできる。したがって、内燃機関を有する車両と電動車両とで、車体の共通化を図ることができる。また、上記実施形態では、吸気ダクト２０の後端がリアバンパー１５の挿入孔１５ｈに挿入されている。そのため、内燃機関が搭載されている車両において排気管の下流端が挿入されるリアバンパーの開口を、吸気ダクト２０の後端を挿入するためのリアバンパー１５の挿入孔１５ｈとして流用することもできる。したがって、車両の後端面における意匠性を大きく変えることなく上記ダクト構造を電動車両に適用できる。
【００３４】
上記実施形態は以下のように変更してもよい。
・吸気ダクト２０は、車両上下方向の寸法よりも車幅方向の寸法の方が長い扁平な略四角箱状に限らない。例えば、吸気ダクト２０は、車両上下方向の寸法と車幅方向の寸法とが同じ略四角箱状であってもよいし、車両前後方向に延びる円筒状であってもよい。要するに、吸気ダクト２０は、流入口２０ａ及び吸気口２０ｂを備えているのであれば、その形状を自由に変更可能である。
【００３５】
・吸気ダクト２０の吸気口２０ｂは、リアタイヤ１３よりも後側であれば、リアバンパー１５の側壁部１５ｓ等において開口していてもよい。
・吸気ダクト２０の吸気口２０ｂは、リアバンパー１５において開口していなくてもよい。例えば、リアバンパー１５よりも下側に空力部材（スポイラ）やその他の部材が設けられているならば、これらの部材において開口していてもよい。さらに、リアバンパー１５よりも下側において車両後側に向かって開口していてもよい。
【００３６】
・吸気ダクト２０の吸気口２０ｂや吸気ダクト２０の内部に、異物の浸入を防ぐためのフィルタを設けてもよい。
・排気ダクト３０は、車両上下方向の寸法よりも車幅方向の寸法の方が長い扁平な略四角箱状に限らない。例えば、排気ダクト３０は、車両上下方向の寸法と車幅方向の寸法とが同じ略四角箱状であってもよいし、車両上下方向に延びる円筒状であってもよい。要するに、排気ダクト３０は、流出口３０ａを介してオイルクーラー１６に連通しており、且つ、車両下側に向けて開口する及び排気口３０ｂを備えているのであれば、その形状を自由に変更可能である。
【００３７】
・排気ダクト３０の排気口３０ｂは、排気ダクト３０の下面の一部に設けられていてもよい。
・排気ダクト３０におけるフィン３０ｆに代えて又は加えて、異物の浸入を防ぐためのフィルタを設けてもよい。
【００３８】
・オイルクーラー１６は、車両上下方向の寸法よりも車幅方向の寸法の方が長い扁平な略四角箱状に限らない。例えば、オイルクーラー１６は、車両上下方向の寸法と車幅方向の寸法とが同じ略四角箱状であってもよいし、車両上下方向に延びる円筒状であってもよい。要するに、オイルクーラー１６は、上流側開口部１６ａ及び下流側開口部１６ｂを備え、内部にオイル流路を備える範囲内であれば、その形状を自由に変更可能である。
【００３９】
・オイルクーラー１６の下流側開口部１６ｂは、同下流側開口部１６ｂを介してオイルクーラー１６と排気ダクト３０とが連通可能であれば、オイルクーラー１６の下面における一部に設けてもよい。
【００４０】
・オイルクーラー１６は、必ずしも吸気ダクト２０の下面に固定されていなくてもよく、例えば吸気ダクト２０の車幅方向いずれか一方側の面に固定されていてもよい。
・遮蔽壁１９は、アンダーカバー１２の開口部１２ａの車両前側の縁部のうち、一部に亘って延びているものであってもよい。さらに、遮蔽壁１９を省略してもよい。遮蔽壁１９を省略しても、車両が相応の速度で走行していれば、アンダーカバー１２の下側の空気の静圧は低くなるので、吸気ダクト２０からオイルクーラー１６の内部を経て排気ダクト３０へ至る空気の流れは生じる。
【００４１】
・吸気ダクト２０及び排気ダクト３０による冷却対象物は、走行モーターやバッテリー等、オイルクーラー１６以外であってもよい。
・アンダーカバー１２における周壁部１７は、開口部１２ａ全体を囲うように延びていなくてもよく、開口部１２ａの開口縁のうちの一部に沿って延びていてもよい。なお、アンダーカバー１２とリアフロアパネル１１との間においても、車両の走行中は、車両前側から後側に向かって空気が流れる蓋然性が高い。そのため、排気ダクト３０の排気口３０ｂからの空気の流れが乱されることを抑制するという観点からは、開口部１２ａの開口縁のうちの前側の縁に沿って周壁部１７が延びていることが好ましい。
【００４２】
・さらに、アンダーカバー１２における周壁部１７を省略してもよい。例えば、アンダーカバー１２とリアフロアパネル１１との間隔が短くて、両者の間に空気が流通しにくい構造なのであれば、周壁部１７を省略してもとくに差し支えない。
【００４３】
・上記実施形態におけるアンダーカバー１２を省略してもよい。なお、アンダーカバー１２を省略する場合、排気ダクト３０における排気口３０ｂの前側の縁に沿って遮蔽壁１９を延設することができる。このような遮蔽壁１９であっても、上記実施形態と同様の効果を発揮できる。
【００４４】
・吸気ダクト２０や排気ダクト３０の内部に、これらダクト内の空気の流れを促進するための送風ファンを設けてもよい。
・内燃機関が搭載された車両に上記実施形態の吸気ダクト２０及び排気ダクト３０を採用してもよい。こうした場合では、吸気ダクト２０及び排気ダクト３０による冷却対象物として、例えば、内燃機関を冷却するためのラジエーター等を採用することもできるし、内燃機関その物を冷却対象物とすることも可能である。
【符号の説明】
【００４５】
１１…リアフロアパネル、１２…アンダーカバー、１２ａ…開口部、１３…リアタイヤ、１５…リアバンパー、１５ｒ…後壁部、１５ｓ…側壁部、１５ｈ…挿入孔、１６…オイルクーラー、１６ａ…上流側開口部、１６ｂ…下流側開口部、１７…周壁部、１９…遮蔽壁、２０…吸気ダクト、２０ａ…流入口、２０ｂ…吸気口、３０…排気ダクト、３０ａ…流出口、３０ｂ…排気口、３０ｆ…フィン。
【図１】
2018144733.tif 000003
【図２】
2018144733.tif 000004
【図３】
2018144733.tif 000005